(57)【要約】【課題】作業効率の高い姿勢変換（方向変換）を行うことができる姿勢変換装置、および姿勢変換装置を適用した梱包方法を提供する。【解決手段】姿勢変換装置１は、太陽電池モジュール３０を水平方向に載置させる載置台１０と、載置台１０の裏面に配置され載置台１０を支持する支持台１５と、載置台１０と支持台１５とを連結し、支持台１５に対して載置台１０を水平方向から垂直方向へ回転させる回転機構部１６とを備える。回転機構部１６は、水平方向に回転中心を有する回転軸１７と、支持台１５に形成されて回転軸１７を支持する第１軸受け１８と、載置台１０の裏面（載置面１１の反対側の面）に形成されて回転軸１７を支持する第２軸受け１９とを備える。【選択図】図１Ａ
2013098398.tif 000002
【特許請求の範囲】
【請求項１】
透光性基板と、透光性基板の片側に配置された太陽電池セルと、太陽電池セルを保護する裏面保護部材とを有する太陽電池モジュールの姿勢を変換する姿勢変換装置であって、
前記太陽電池モジュールを水平方向に載置させる載置台と、
前記載置台の裏面に配置され前記載置台を支持する支持台と、
前記載置台と前記支持台とを連結し、前記支持台に対して前記載置台を水平方向から垂直方向へ回転させる回転機構部とを備えること
を特徴とする姿勢変換装置。
【請求項２】
請求項１に記載の姿勢変換装置であって、
前記回転機構部は、水平方向に回転中心を有する回転軸と、前記支持台に形成されて前記回転軸を支持する第１軸受けと、前記載置台の裏面に形成されて前記回転軸を支持する第２軸受けとを備えること
を特徴とする姿勢変換装置。
【請求項３】
請求項２に記載の姿勢変換装置であって、
前記回転軸は、前記太陽電池モジュールを垂直にしたときに前記太陽電池モジュールが有する高さの半分より低い側に位置すること
を特徴とする姿勢変換装置。
【請求項４】
請求項１から請求項３までのいずれか一つに記載の姿勢変換装置であって、
前記載置台は、水平に対して予め回転方向へ向かう傾斜を持たせて配置されていること
を特徴とする姿勢変換装置。
【請求項５】
請求項４に記載の姿勢変換装置であって、
前記支持台に配置されて前記載置台に前記傾斜を持たせる傾斜台を備えること
を特徴とする姿勢変換装置。
【請求項６】
請求項１から請求項５までのいずれか一つに記載の姿勢変換装置であって、
前記載置台と前記支持台との間に配置され前記載置台を垂直方向へ回転させる弾性体を備えること
を特徴とする姿勢変換装置。
【請求項７】
請求項１から請求項５までのいずれか一つに記載の姿勢変換装置であって、
前記載置台と前記支持台との間に配置され前記載置台を垂直方向へ回転させる伸長機構部を備えること
を特徴とする姿勢変換装置。
【請求項８】
請求項１から請求項７までのいずれか一つに記載の姿勢変換装置であって、
前記載置台は、前記太陽電池モジュールが載置される載置面と、前記載置面の端部に配置され、前記太陽電池モジュールが垂直方向へ回転されたときに前記太陽電池モジュールの縁を止める縁止め部とを備えること
を特徴とする姿勢変換装置。
【請求項９】
請求項８に記載の姿勢変換装置であって、
前記縁止め部は、前記太陽電池モジュールに当接する当接面が滑り性を有する滑り部を備えること
を特徴とする姿勢変換装置。
【請求項１０】
請求項１から請求項９までのいずれか一つに記載の姿勢変換装置であって、
前記支持台は、前記載置台の裏面側に対向して配置され前記載置台の垂直方向での位置決めをする位置決め部を備えること
を特徴とする姿勢変換装置。
【請求項１１】
請求項１から請求項１０までのいずれか一つに記載の姿勢変換装置であって、
前記太陽電池モジュールは、両面を平板状の板部材で形成されていること
を特徴とする姿勢変換装置。
【請求項１２】
太陽電池モジュールを水平方向から垂直方向へ姿勢変換する工程と、姿勢変換した前記太陽電池モジュールを立てて並置する梱包部材へ移す工程とを備えて前記太陽電池モジュールを梱包する梱包方法であって、
前記太陽電池モジュールを水平方向から垂直方向へ姿勢変換する工程は、請求項１から請求項１１までのいずれか一つに記載の姿勢変換装置を適用して実施されること
を特徴とする梱包方法。
【発明の詳細な説明】
【技術分野】
【０００１】
本発明は、太陽電池モジュールの姿勢を変更する姿勢変換装置、および姿勢変換装置を適用した太陽電池モジュールの梱包方法に関する。
【背景技術】
【０００２】
太陽電池モジュールの量産化が推進されるようになってきた。また、太陽電池モジュールの用途開発に伴い太陽電池モジュールの大型化が進んできた。このような状況下において、太陽電池モジュールの扱いも種々の形態が採られるようになり、例えば、水平方向で処理された太陽電池モジュールを水平方向から回転させて垂直方向へ姿勢を変換し、例えば梱包する場合などがある。
【０００３】
従来、太陽電池モジュールの姿勢変換は、作業者による手作業でされていたが、太陽電池モジュールの大量生産に伴い、作業者の負担の軽減、作業の効率化、作業の安全性の向上などを目的とした自動化が要請されている。太陽電池モジュールに適用されるガラス板は、人出で扱われることが多く、太陽電池モジュールを扱う装置はほとんど知られていないのが実情である。
【０００４】
このような状況下で、ガラス板を機械的に取り扱うことによって姿勢を変換する装置も提案されている（例えば、特許文献１参照。）。しかしながら、特許文献１に記載の装置は、扱う対象としてのガラス板の大きさが作業者の手作業で操作可能なものに限られていることから、大型化した太陽電池モジュールに対する操作を行うことは不可能である。また、人手を必要とすることから、大型化した太陽電池モジュールを連続的に扱うことは困難である。
【０００５】
また、太陽電池モジュールを梱包する方法も提案されている（例えば、特許文献２参照。）。
【先行技術文献】
【特許文献】
【０００６】
【特許文献１】特開２００３−３４４２８号公報
【特許文献２】特開２００４−８３１３２号公報
【発明の概要】
【発明が解決しようとする課題】
【０００７】
上述したとおり、太陽電池モジュールの大型化に伴って、太陽電池モジュールの姿勢変換での作業者に対する負荷の増大があり、生産性、作業性、安全性、量産性などの面で太陽電池モジュール３０の姿勢変換での作業性の向上が求められている。
【０００８】
本発明はこのような状況に鑑みてなされたものであり、太陽電池モジュールを水平方向に載置させる載置台と、載置台を支持する支持台と、載置台と支持台とを連結し、支持台に対して載置台を水平方向から垂直方向へ回転させる回転機構部とを備えることにより、作業効率の高い姿勢変換（方向変換）を行うことができる姿勢変換装置を提供することを目的とする。
【０００９】
また、本発明は、本発明に係る姿勢変換装置を適用した太陽電池モジュールの梱包方法とすることにより、作業性良く梱包作業を行うことができる梱包方法を提供することを他の目的とする。
【課題を解決するための手段】
【００１０】
本発明に係る姿勢変換装置は、透光性基板と、透光性基板の片側に配置された太陽電池セルと、太陽電池セルを保護する裏面保護部材とを有する太陽電池モジュールの姿勢を変換する姿勢変換装置であって、前記太陽電池モジュールを水平方向に載置させる載置台と、前記載置台の裏面に配置され前記載置台を支持する支持台と、前記載置台と前記支持台とを連結し、前記支持台に対して前記載置台を水平方向から垂直方向へ回転させる回転機構部とを備えることを特徴とする。
【００１１】
したがって、本発明に係る姿勢変換装置は、水平方向に配置された載置台に太陽電池モジュールを載置し、載置台を回転機構部によって垂直方向へ回転させることから、水平方向に載置された太陽電池モジュールの姿勢を水平方向から垂直方向へ容易に変換させるので、作業効率の高い姿勢変換（方向変換）を行うことができる。
【００１２】
また、本発明に係る姿勢変換装置では、前記回転機構部は、水平方向に回転中心を有する回転軸と、前記支持台に形成されて前記回転軸を支持する第１軸受けと、前記載置台の裏面に形成されて前記回転軸を支持する第２軸受けとを備えることを特徴とする。
【００１３】
したがって、本発明に係る姿勢変換装置は、支持台に形成された第１軸受けと載置台に形成された第２軸受けとによって回転中心を構成する回転軸を支持することから、回転軸を回転中心として支持台に対して載置台を水平方向から垂直方向へ回転させて位置（姿勢）を変更させるので、太陽電池モジュールの姿勢を水平方向から垂直方向へ容易にかつ高精度に変換することができる。
【００１４】
また、本発明に係る姿勢変換装置では、前記回転軸は、前記太陽電池モジュールを垂直にしたときに前記太陽電池モジュールが有する高さの半分より低い側に位置することを特徴とする。
【００１５】
したがって、本発明に係る姿勢変換装置は、垂直にした太陽電池モジュールの高さの半分より低い位置に回転中心を配置することから、大型化した太陽電池モジュールであっても回転中心の位置を低くすることが可能となり、支持台の頂面の位置を低くして作業の容易性および安全性を確保することができる。
【００１６】
また、本発明に係る姿勢変換装置では、前記載置台は、水平に対して予め回転方向へ向かう傾斜を持たせて配置されていることを特徴とする。
【００１７】
したがって、本発明に係る姿勢変換装置は、予め回転方向へ向かって傾斜していることから、水平方向から垂直方向への回転を容易に行うことができるので、作業効率を向上させることができる。
【００１８】
また、本発明に係る姿勢変換装置では、前記支持台に配置されて前記載置台に前記傾斜を持たせる傾斜台を備えることを特徴とする。
【００１９】
したがって、本発明に係る姿勢変換装置は、載置台を支える傾斜台を支持台に配置していることから、太陽電池モジュールを水平方向から垂直方向へ予め傾けた状態（起こした状態）で配置するので、簡単な構造で載置台を水平方向から垂直方向へ容易に回転させて太陽電池モジュールの姿勢を水平方向から垂直方向へ容易にかつ高精度に姿勢変換することができる。
【００２０】
また、本発明に係る姿勢変換装置では、前記載置台と前記支持台との間に配置され前記載置台を垂直方向へ回転させる弾性体を備えることを特徴とする。
【００２１】
したがって、本発明に係る姿勢変換装置は、載置台と支持台との間に載置台を垂直方向へ回転させる弾性体を備えることから、簡単な構成で載置台の回転に対して勢いを付けるので、太陽電池モジュールの姿勢を水平方向から垂直方向へ容易にかつ高精度に姿勢変換することができる。
【００２２】
また、本発明に係る姿勢変換装置では、前記載置台と前記支持台との間に配置され前記載置台を垂直方向へ回転させる伸長機構部を備えることを特徴とする。
【００２３】
したがって、本発明に係る姿勢変換装置は、載置台の回転位置の制御を伸長機構部によって制御することから、容易にかつ高精度に載置台の回転を制御するので、太陽電池モジュールを水平方向から垂直方向へ容易にかつ高精度に姿勢変換することができる。
【００２４】
また、本発明に係る姿勢変換装置では、前記載置台は、前記太陽電池モジュールが載置される載置面と、前記載置面の端部に配置され、前記太陽電池モジュールが垂直方向へ回転されたときに前記太陽電池モジュールの縁を止める縁止め部とを備えることを特徴とする。
【００２５】
したがって、本発明に係る姿勢変換装置は、太陽電池モジュールを垂直方向へ方向変換したとき、太陽電池モジュールの垂直方向での高さを一定に維持することから、次の工程への移動を容易にかつ高精度に行うことができる。
【００２６】
また、本発明に係る姿勢変換装置では、前記縁止め部は、前記太陽電池モジュールに当接する当接面が滑り性を有する滑り部を備えることを特徴とする。
【００２７】
したがって、本発明に係る姿勢変換装置は、太陽電池モジュールの端面が当接する縁止め部の当接面が滑り性を有する構成とされることから、太陽電池モジュールを次の工程へ容易に移動させることが可能となり、作業性を向上させる。
【００２８】
また、本発明に係る姿勢変換装置では、前記支持台は、前記載置台の裏面側に対向して配置され前記載置台の垂直方向での位置決めをする位置決め部を備えることを特徴とする。
【００２９】
したがって、本発明に係る姿勢変換装置は、載置台の垂直方向の位置決めをする位置決め部を備えることから、太陽電池モジュールの垂直方向を容易にかつ高精度に確定するので、高い作業性と安全性を確保する。
【００３０】
また、本発明に係る姿勢変換装置では、前記太陽電池モジュールは、両面を平板状の板部材で形成されていることを特徴とする。
【００３１】
したがって、本発明に係る姿勢変換装置は、両面を平板状の板部材で形成されて大面積化され、重量が増えた太陽電池モジュールに対しても容易に姿勢変換を施すことが可能である。
【００３２】
また、本発明に係る梱包方法は、太陽電池モジュールを水平方向から垂直方向へ姿勢変換する工程と、姿勢変換した前記太陽電池モジュールを立てて並置する梱包部材へ移す工程とを備えて前記太陽電池モジュールを梱包する梱包方法であって、前記太陽電池モジュールを水平方向から垂直方向へ姿勢変換する工程は、本発明に係る姿勢変換装置を適用して実施されることを特徴とする。
【００３３】
したがって、本発明に係る梱包方法は、前工程で水平方向での処理をされた太陽電池モジュールを垂直方向へ容易に姿勢変換することから、太陽電池モジュールを立てて並置する梱包部材へ太陽電池モジュールを移すことが容易となり、作業性良く梱包作業を行うことができる。
【発明の効果】
【００３４】
本発明に係る姿勢変換装置は、太陽電池モジュールを水平方向に載置させる載置台と、載置台の裏面に配置され載置台を支持する支持台と、載置台と支持台とを連結し、支持台に対して載置台を水平方向から垂直方向へ回転させる回転機構部とを備える。
【００３５】
したがって、本発明に係る姿勢変換装置は、水平方向に配置された載置台に太陽電池モジュールを載置し、載置台を回転機構部によって垂直方向へ回転させることから、水平方向に載置された太陽電池モジュールの姿勢を水平方向から垂直方向へ容易に変換させるので、作業効率の高い姿勢変換（方向変換）を行うことができるという効果を奏する。
【００３６】
また、本発明に係る太陽電池モジュールを梱包する梱包方法は、太陽電池モジュールを水平方向から垂直方向へ姿勢変換する工程と、太陽電池モジュールを立てて併置する梱包部材へ移す工程とを備え、姿勢変換する工程は、本発明に係る姿勢変換装置を適用して実施される。
【００３７】
したがって、本発明に係る梱包方法は、前工程で水平方向での処理をされた太陽電池モジュールを垂直方向へ容易に姿勢変換することから、太陽電池モジュールを立てて並置する梱包部材へ太陽電池モジュールを移すことが容易となり、作業性良く梱包作業を行うことができるという効果を奏する。
【図面の簡単な説明】
【００３８】
【図１Ａ】本発明の実施の形態１に係る姿勢変換装置に太陽電池モジュールを載置したときの側面状態を示す側面図である。
【図１Ｂ】図１Ａに示した姿勢変換装置が太陽電池モジュールを水平方向から垂直方向へ姿勢変換したときの側面状態を示す側面図である。
【図２】本発明の実施の形態１に係る姿勢変換装置で処理される太陽電池モジュールの概要を模式的な断面で説明する断面図である。
【図３Ａ】本発明の実施の形態２に係る姿勢変換装置（変形例１）に太陽電池モジュールを載置したときの側面状態を示す側面図である。
【図３Ｂ】本発明の実施の形態２に係る姿勢変換装置（変形例２）に太陽電池モジュールを載置したときの側面状態を示す側面図である。
【図４Ａ】本発明の実施の形態２に係る姿勢変換装置（変形例３）に太陽電池モジュールを載置したときの側面状態を示す側面図である。
【図４Ｂ】図４Ａに示した姿勢変換装置（変形例３）が太陽電池モジュールを水平方向から垂直方向へ姿勢変換したときの側面状態を示す側面図である。
【図５Ａ】本発明の実施の形態３に係る太陽電池モジュールの梱包方法であって、姿勢変換装置から太陽電池モジュールを梱包部材へ移す状態を模式的に示す模式正面図である。
【図５Ｂ】図５Ａに示した梱包部材に並置された太陽電池モジュールの側面状態の概要を示す側面図である。
【発明を実施するための形態】
【００３９】
以下、本発明の実施の形態について図面を参照して説明する。
【００４０】
＜実施の形態１＞
図１Ａないし図２を参照して、本実施の形態に係る姿勢変換装置１について説明する。
【００４１】
図１Ａは、本発明の実施の形態１に係る姿勢変換装置１に太陽電池モジュール３０を載置したときの側面状態を示す側面図である。
【００４２】
図１Ｂは、図１Ａに示した姿勢変換装置１が太陽電池モジュール３０を水平方向から垂直方向へ姿勢変換したときの側面状態を示す側面図である。
【００４３】
本実施の形態に係る姿勢変換装置１は、太陽電池モジュール３０の姿勢を水平方向から垂直方向へ変換する。なお、太陽電池モジュール３０については、図２で詳細を説明する。また、本願で言う水平方向、垂直方向は、それぞれ絶対的な水平、絶対的な垂直に対して多少のずれを含むことを示すために「水平」、「垂直」の文言に「方向」の文言を付加している。
【００４４】
姿勢変換装置１は、太陽電池モジュール３０を水平方向に載置させる載置台１０と、載置台１０の裏面に配置され載置台１０を支持する支持台１５と、載置台１０と支持台１５とを連結し、支持台１５に対して載置台１０を水平方向から垂直方向へ回転させる回転機構部１６とを備える。
【００４５】
したがって、姿勢変換装置１は、水平方向に配置された載置台１０に太陽電池モジュール３０を載置し、載置台１０を回転機構部１６によって垂直方向へ回転させることから、水平方向に載置された太陽電池モジュール３０の姿勢を水平方向から垂直方向へ容易に変換させるので、作業効率の高い姿勢変換（方向変換）を行うことができる。
【００４６】
なお、姿勢変換装置１によれば、単に作業効率だけでは無く、それに伴って、生産性、安全性、量産性などについても改善され、大型の太陽電池モジュール３０を効率よく生産することが可能となる。
【００４７】
姿勢変換装置１において、回転機構部１６は、水平方向に回転中心を有する回転軸１７と、支持台１５に形成されて回転軸１７を支持する第１軸受け１８と、載置台１０の裏面（載置面１１の反対側の面）に形成されて回転軸１７を支持する第２軸受け１９とを備える。
【００４８】
したがって、姿勢変換装置１は、支持台１５に形成された第１軸受け１８と載置台１０に形成された第２軸受け１９とによって回転中心を構成する回転軸１７を支持することから、回転軸１７を回転中心として支持台１５に対して載置台１０を水平方向から垂直方向へ回転させて位置（姿勢）を変更させるので、太陽電池モジュール３０の姿勢を水平方向から垂直方向へ容易にかつ高精度に変換することができる。
【００４９】
姿勢変換装置１は、回転機構部１６を用いることから、太陽電池モジュール３０の重量の影響を抑制することができるので、太陽電池モジュール３０の重量による作業性の低下を防止することができる。したがって、少ない人数の作業者による作業、工程管理が可能となる。
【００５０】
また、回転軸１７は、太陽電池モジュール３０を垂直にしたときに太陽電池モジュール３０が有する高さの半分より低い側に位置することが好ましい。
【００５１】
この構成によって、姿勢変換装置１は、垂直にした太陽電池モジュール３０の高さの半分より低い位置に回転中心を配置することから、大型化した太陽電池モジュール３０であっても回転中心の位置を低くすることが可能となり、支持台１５の頂面の位置を低くして作業の容易性および安全性を確保することができる。
【００５２】
また、載置台１０は、太陽電池モジュール３０が載置される載置面１１と、載置面１１の端部に配置され、太陽電池モジュール３０が垂直方向へ回転されたときに太陽電池モジュール３０の縁を止める縁止め部１２とを備える。
【００５３】
この構成によって、姿勢変換装置１は、太陽電池モジュール３０を垂直方向へ方向変換したとき、太陽電池モジュール３０の垂直方向での高さを一定に維持することから、次の工程への移動を容易にかつ高精度に行うことができる。
【００５４】
縁止め部１２は、太陽電池モジュール３０に当接する当接面が滑り性を有する滑り部１３を備えることが好ましい。
【００５５】
この構成によって、姿勢変換装置１は、太陽電池モジュール３０の端面が当接する縁止め部１２の当接面が滑り性を有する構成とされることから、太陽電池モジュール３０を次の工程へ容易に移動させることが可能となり、作業性を向上させる（図５Ａ参照）。
【００５６】
滑り部１３は、例えば滑り性のある材料で形成すること、あるいは移動方向に沿う回転を生じるローラーを配置することなどによって形成される。
【００５７】
支持台１５は、載置台１０の裏面側に対向して配置され載置台１０の垂直方向での位置決めをする位置決め部２４を備えることが好ましい。したがって、姿勢変換装置１は、載置台１０の垂直方向の位置決めをする位置決め部２４を備えることから、太陽電池モジュール３０の垂直方向を容易にかつ高精度に確定するので、高い作業性と安全性を確保する。
【００５８】
図２は、本発明の実施の形態１に係る姿勢変換装置１で処理される太陽電池モジュール３０の概要を模式的な断面で説明する断面図である。
【００５９】
本実施の形態に係る姿勢変換装置１で処理される太陽電池モジュール３０は、透光性基板３１と、透光性基板３１の片側に配置された太陽電池セル３２と、太陽電池セル３２を保護する裏面保護部材３３とを有する構成であることが好ましい。
【００６０】
特に、透光性基板３１および裏面保護部材３３の両方がガラス板で構成されている場合（いわゆる合わせガラス構造、ペアガラス構造の場合）は、太陽電池モジュール３０の大面積化（例えば、１ｍ×１．５ｍないし２ｍ×３ｍ程度の矩形）に伴って太陽電池モジュール３０の重量も大きくなり（例えば１０ｋｇ〜５０ｋｇなど）、作業者による処理が困難な状態となることがある。また、ガラス板として金網を取り入れた網入りガラスが採用されて更に重量が増加する場合もある。これら場合に、姿勢変換装置１を適用することによって、１人の作業者でも太陽電池モジュール３０の姿勢を変換することができる。
【００６１】
つまり、姿勢変換装置１が適用される太陽電池モジュール３０は、両面を平板状の板部材で形成されていることが好ましい。すなわち、姿勢変換装置１は、両面を平板状の板部材で形成されて大面積化され、重量が増えた太陽電池モジュール３０に対しても容易に姿勢変換を施すことが可能である。
【００６２】
本実施の形態では、姿勢変換装置１による姿勢変換を水平方向から垂直方向への姿勢変換として説明したが、必要に応じて垂直方向から水平方向へと逆の姿勢へ変換するときに適用することも可能である。
【００６３】
なお、太陽電池セル３２は、具体的には多数が直列あるいは並列に接続されて太陽電池セル群（太陽電池ストリング）を構成する。また、太陽電池セル３２は、透光性基板３１および裏面保護部材３３の間に配置された樹脂封止部３４で樹脂封止され外部環境から保護される。
【００６４】
＜実施の形態２＞
図３Ａないし図４Ｂを参照して、実施の形態１に係る姿勢変換装置１の変形例（変形性１ないし変形例３）を本実施の形態に係る姿勢変換装置１として説明する。本実施の形態に係る姿勢変換装置１の基本的な構成は、実施の形態１に係る姿勢変換装置１と同様であるので、符号を援用し、主に異なる事項について説明する。
【００６５】
図３Ａは、本発明の実施の形態２に係る姿勢変換装置１（変形例１）に太陽電池モジュール３０を載置したときの側面状態を示す側面図である。
【００６６】
本実施の形態に係る姿勢変換装置１（変形例１）では、載置台１０は、水平方向に対して予め回転方向へ傾斜した状態とされている。予め傾斜させていることから、垂直方向への回転を容易にすることができる。なお、傾斜を実現する手段として支持台１５の表面に傾斜台２１が配置され、傾斜台２１が載置台１０の裏面を支持する構造とされている。
【００６７】
つまり、本実施の形態に係る姿勢変換装置１では、載置台１０は、水平に対して予め回転方向へ向かう傾斜を持たせて配置されている。したがって、姿勢変換装置１は、予め回転方向へ向かって傾斜していることから、水平方向から垂直方向への回転を容易に行うことができるので、作業効率を向上させることができる。
【００６８】
また、本実施の形態に係る姿勢変換装置１は、支持台１５に配置されて載置台１０に傾斜を持たせる傾斜台２１を備える。したがって、姿勢変換装置１は、載置台１０を支える傾斜台２１を支持台１５に配置していることから、太陽電池モジュール３０を水平方向から垂直方向へ予め傾けた状態（起こした状態）で配置するので、簡単な構造で載置台１０を水平方向から垂直方向へ容易に回転させて太陽電池モジュール３０の姿勢を水平方向から垂直方向へ容易にかつ高精度に姿勢変換することができる。
【００６９】
なお、傾斜の角度は、太陽電池モジュール３０の大きさ、重量などから作業性を考慮して適宜の角度を設定することができる。
【００７０】
図３Ｂは、本発明の実施の形態２に係る姿勢変換装置１（変形例２）に太陽電池モジュール３０を載置したときの側面状態を示す側面図である。
【００７１】
本実施の形態に係る姿勢変換装置１（変形例２）では、傾斜台２１の代わりに、あるいは、傾斜台２１と併用して（傾斜台２１に重ねて）弾性体２２を備える。図３Ｂでは、傾斜台２１の代わりに弾性体２２を適用した状態を示す。弾性体２２は、例えばコイルばねである。したがって、弾性体２２の反発力（回転させるときの回転力を付勢する力）を利用して回転させることが可能となり、容易に載置台１０（太陽電池モジュール３０）を回転させることができる。
【００７２】
つまり、本実施の形態に係る姿勢変換装置１では、載置台１０は、水平に対して予め回転方向へ向かう傾斜を持たせて配置されている。したがって、姿勢変換装置１は、予め回転方向へ向かって傾斜していることから、水平方向から垂直方向への回転を容易に行うことができるので、作業効率を向上させることができる。
【００７３】
また、本実施の形態に係る姿勢変換装置１は、載置台１０と支持台１５との間に配置され載置台１０を垂直方向へ回転させる弾性体２２を備える。したがって、姿勢変換装置１は、載置台１０と支持台１５との間に載置台１０を垂直方向へ回転させる弾性体２２を備えることから、簡単な構成で載置台１０の回転に対して勢いを付けるので、太陽電池モジュール３０の姿勢を水平方向から垂直方向へ容易にかつ高精度に姿勢変換することができる。
【００７４】
図４Ａは、本発明の実施の形態２に係る姿勢変換装置１（変形例３）に太陽電池モジュール３０を載置したときの側面状態を示す側面図である。
【００７５】
図４Ｂは、図４Ａに示した姿勢変換装置１（変形例３）が太陽電池モジュール３０を水平方向から垂直方向へ姿勢変換したときの側面状態を示す側面図である。
【００７６】
本実施の形態に係る姿勢変換装置１（変形例３）は、載置台１０を動的に操作する機構部を備える。つまり、姿勢変換装置１は、載置台１０と支持台１５との間に配置され載置台１０を垂直方向へ回転させる伸長機構部２３を備える。
【００７７】
したがって、姿勢変換装置１は、載置台１０の回転位置の制御を伸長機構部２３によって制御することから、容易にかつ高精度に載置台１０の回転を制御するので、太陽電池モジュール３０を水平方向から垂直方向へ容易にかつ高精度に姿勢変換することができる。
【００７８】
なお、伸長機構部２３は、傾斜台２１に重ねて配置されても良い。また、伸長機構部２３として、具体的には電動シリンダーを採用することができる。伸長機構部２３は、載置台１０の裏面に一端が連結され、他端が支持台１５に固定されている。
【００７９】
伸長機構部２３によれば、載置台１０の回転（水平方向から垂直方向への姿勢変換）を完全に機械化することから、作業者への負荷を大幅に低減することが可能となり、作業性を向上させることができる。また、自動化を進めることが可能となる。
【００８０】
＜実施の形態３＞
図５Ａおよび図５Ｂを参照して、実施の形態３に係る太陽電池モジュール３０を梱包する梱包方法について説明する。本実施の形態に係る太陽電池モジュール３０の梱包方法は、実施の形態１、実施の形態２に記載した太陽電池モジュール３０を垂直方向で立てた状態で梱包をする。立てた状態は、実施の形態１、実施の形態２に記載した姿勢変換装置１によって維持されている。したがって、実施の形態１、実施の形態２に記載して姿勢変換装置１、太陽電池モジュール３０の符号を援用し、主に異なる事項について説明する。
【００８１】
図５Ａは、本発明の実施の形態３に係る太陽電池モジュール３０の梱包方法であって、姿勢変換装置１から太陽電池モジュール３０を梱包部材４０へ移す状態を模式的に示す模式正面図である。
【００８２】
図５Ｂは、図５Ａに示した梱包部材４０に並置された太陽電池モジュール３０の側面状態の概要を示す側面図である。
【００８３】
図５Ａでは、姿勢変換装置１の載置台１０によって垂直方向で立てられた状態の太陽電池モジュール３０が矢印方向へ移される状態を模式的に示している。太陽電池モジュール３０の縁が止められる縁止め部１２は、滑り部１３を備える。したがって、太陽電池モジュール３０を容易に梱包部材４０（太陽電池モジュール３０が挿入されるモジュール溝４１）の方へ移動させることができる。なお、梱包部材４０の形状、寸法、配置位置は、適宜設定することができるので、詳細な説明は省略する。
【００８４】
実施の形態１、実施の形態２で説明したとおり、回転軸１７の位置を低く設定していることから、太陽電池モジュール３０の床側の縁も十分に低い位置へ配置させることができる。つまり、縁止め部１２の位置は床方向で低い位置に設定することができるので、太陽電池モジュール３０を梱包部材４０へ移動させるときの位置合わせを容易に行うことができる。
【００８５】
上述したとおり、本実施の形態に係る太陽電池モジュール３０を梱包する梱包方法は、太陽電池モジュール３０を水平方向から垂直方向へ姿勢変換する工程と、姿勢変換した太陽電池モジュール３０を立てて並置する梱包部材４０へ移す工程とを備えて太陽電池モジュール３０を梱包する梱包方法であって、太陽電池モジュール３０を水平方向から垂直方向へ姿勢変換する工程は、実施の形態１、実施の形態２のいずれかに記載の姿勢変換装置１を適用して実施される。
【００８６】
したがって、本発明に係る梱包方法は、前工程で水平方向での処理をされた太陽電池モジュール３０を垂直方向へ容易に姿勢変換することから、太陽電池モジュール３０を立てて並置する梱包部材４０へ太陽電池モジュール３０を移すことが容易となり、作業性良く梱包作業を行うことができる。
【００８７】
なお、梱包工程は、梱包部材４０に立てて配置された太陽電池モジュール３０に対して、太陽電池モジュール３０の上側の縁に梱包部材４０に対向させて頂面固定部材を配置し、太陽電池モジュール３０を底部と頂部の両側で固定することによって行われる。なお、太陽電池モジュール３０相互間に適宜のスペーサを配置することが好ましい。
【符号の説明】
【００８８】
１  姿勢変換装置
１０  載置台
１１  載置面
１２  縁止め部
１３  滑り部
１５  支持台
１６  回転機構部
１７  回転軸
１８  第１軸受け
１９  第２軸受け
２１  傾斜台
２２  弾性体
２３  伸長機構部
２４  位置決め部
３０  太陽電池モジュール
３１  透光性基板
３２  太陽電池セル
３３  裏面保護部材
３４  樹脂封止部
４０  梱包部材
４１  モジュール溝
【図１Ａ】
2013098398.tif 000003
【図１Ｂ】
2013098398.tif 000004
【図２】
2013098398.tif 000005
【図３Ａ】
2013098398.tif 000006
【図３Ｂ】
2013098398.tif 000007
【図４Ａ】
2013098398.tif 000008
【図４Ｂ】
2013098398.tif 000009
【図５Ａ】
2013098398.tif 000010
【図５Ｂ】
2013098398.tif 000011